(57)【要約】【課題】 磁路のギャップを一定に保持してリーケージインダクタンスのバラツキを抑えるとともに、組立工程の手数および調整を簡略化させて製造コストを低下させたインバータトランスを提供する。【解決手段】 ２つの側脚部６,６の間に１つ以上の中央脚部７を形成し、これらの脚部の基端側を側方連結部９によって連結するとともに前記各々の脚部間にギャップを形成した一端開放型のコア２と、中央脚部７の数に対応して設けられ、ボビン外周に一次巻線３及び二次巻線４が巻回されるボビン本体５とを備える。好ましい実施形態では、ボビン本体５とコア２との間に接着剤を塗布する。また、ボビン本体５の先端部側面の両側に突出部を設け、ボビン本体５の基端部の前側に位置する側方連結部９と、コア２の側脚部の背面側に位置する突出部とによって、ボビン本体５の傾きを規制する手段を構成する。【選択図】      図９
2006156928.tif 000002
【特許請求の範囲】
【請求項１】
２つの側脚部の間に１つ以上の中央脚部を形成し、これらの脚部の基端側を側方連結部によって連結するとともに前記各々の脚部間にギャップを形成して前記脚部の先端側が開放された一体型のコアと、
前記中央脚部の数に対応して設けられ、前記中央脚部を挿入する中央孔を有しかつボビン外周に一次巻線及び二次巻線が巻回されてなるボビン本体とを具備することを特徴とするインバータトランス。
【請求項２】
前記中央脚部は、２つ以上設けられ、それぞれの中央脚部に前記ボビン本体が装着されてなることを特徴とする請求項１記載のインバータトランス。
【請求項３】
前記ボビン本体の各々は、先端部と基端部の両側部あるいは一端部に別のボビン本体に連結するかみ合い係合部を有し、該かみ合い係合部は、前記ボビン本体の一側部の係合凸部と他側部の係合凹部からなり、前記先端部と前記基端部あるいは前記一端部は、前記かみ合い係合部を介して密着状態に係合して複数のボビン本体が一体構造を可能としたことを特徴とする請求項１または請求項２記載のインバータトランス。
【請求項４】
前記ボビン本体の先端部側面の両側に突出する突出部を設け、該突出部を前記コアの側脚部の背面側に突出させ、前記ボビン本体の基端部の前側に位置する前記側方連結部と、前記コアの側脚部の背面側に位置する前記突出部とによって、前記中央脚部に挿入された前記ボビン本体の傾きを規制する手段を構成してなることを特徴とする請求項１ないし３のいずれか１項に記載のインバータトランス。
【請求項５】
前記ボビン本体とコアを固定するために、少なくとも前記ボビン本体の先端部側面と前記コアの側脚部、及びボビン本体の基端側とコアの側方連結部の各係合部分に接着剤を塗布したことを特徴とする請求項１ないし４のいずれか１項に記載のインバータトランス。
【請求項６】
前記ボビン本体の先端部側面と前記コアの側脚部への接着剤の塗布が、前記ボビン本体の先端部側面の突出部と前記コアの側脚部であることを特徴とする請求項５記載のインバータトランス。
【発明の詳細な説明】
【技術分野】
【０００１】
本発明は、液晶ディスプレイの画面照明用光源を点灯するインバータ回路の出力段に用いられるバックライトのためのインバータトランスに関するものである。
【背景技術】
【０００２】
近年、パーソナルコンピュータ等のディスプレイ装置として液晶ディスプレイ（以下、ＬＣＤと記す。）が広く使用されるようになってきたが、このＬＣＤはバックライト等の画面照明用の光源を必要とする。また、このようなＬＣＤの画面を高輝度に保つために、上記光源として複数の冷陰極放電ランプ（以下、ＣＣＦＬと略記する。）を使用し、それらを同時に放電、点灯させる。
【０００３】
一般に、この種のＣＣＦＬの放電、点灯には、１２Ｖ程度の直流入力電圧からインバータトランスの二次側に、放電開始時に６０ｋＨｚ、１６００Ｖ程度の高周波電圧を発生させるために、フルブリッジ回路またはロイヤー（ROYER）回路を用いたバックライト駆動用のインバータユニットで構成されたインバータ回路が用いられている。このインバータ回路は、ＣＣＦＬ放電後にはインバータトランスの二次側電圧をＣＣＦＬの放電維持に必要な６００Ｖ程度の電圧まで下げるように制御している。この電圧制御は、通常、ＰＷＭ制御で行われている。
【０００４】
このようなインバータ回路に使用されるインバータトランスは、リーケージトランスが用いられ、そのコア形状には、ＥＥコア、ＵＩコア、ＣＩコア、Ｉコアがある。このリーケージトランスは、トランスの一次二次の結合係数を0.95以下にしてリーケージインダクタンスを大きくしたものであり、磁路長を大きくするかあるいは二次巻線を大きくして対応している。また、バックライトインバータは、リーケージトランスのリーケージインダクタンスとＬＣＤに寄生する寄生容量及び付加容量とで共振回路を構成し、その共振回路の直列共振周波数と並列共振周波数の中間付近の周波数で冷陰極ランプを点灯させている。
【０００５】
インバータトランスは、従来から、磁芯に棒状のＩコアを用いた開磁路構造のものと、ＥＥコア、ＵＩコア、ＣＩコアを用いて、磁芯を閉磁路構造としたものとがあり、例えば、開磁路構造としては、特許文献１があり、閉磁路構造としては、特許文献２、特許文献３、及び特許文献４がある。
【０００６】
閉磁路構造のインバータトランスは、コア形状として上述のＥＥコア、ＵＩコア、ＣＩコア用いられているが、コアのギャップが狭く、磁芯の棒状コアが外側コアと分離されているために、分離されたコアの結合及びボビンの組立時にギャップの不揃いやボビンの取り付け不良が起こる。その結果、リーケージインダクタンスのバラツキが大きくなり、さらにトランス二次側の共振周波数がばらつくために、冷陰極管に流れる電流が変動するという問題を発生する。
【０００７】
また、閉磁路構造では、２つのＥ型コアをあわせる構造、あるいは、略口形状の外側コアと、ボビンの中心孔に挿入される棒状コアとからなる構造となっているため、コアの部品点数が２個以上となり、コアの製造コストが上昇する。また、これらのコアの組み合わせにおいて、均一なリーケージンダクタンスを形成するための工数が加わるために、製造コストが上昇する。
【０００８】
一方、開磁路構造であるＩコアでは、この棒状コアに一次巻線、二次巻線が巻かれる構造のために、リーケージインダクタンスは、容易に得ることができるが、磁束がトランス近傍の空間を通るトランスに近接する銅パターン、金属などに渦流損が発生して効率が著しく劣化する。
【特許文献１】特開２００１−２２３１２２号公報
【特許文献２】特開２００２−３５３０４４号公報
【特許文献３】特開２００４−１０３３１６号公報
【特許文献４】特開２００４−１１１４１７号公報
【発明の開示】
【発明が解決しようとする課題】
【０００９】
本発明は、このような事情に鑑みてなされたもので、トランスコア形状を一端開放型として、コアを１部品の一体構造で形成し、磁路のギャップを一定に保持してリーケージインダクタンスのバラツキを抑えるとともに、組立工程の手数および調整を簡略化させて製造コストを低下させたインバータトランスを提供することを目的とする。
【課題を解決するための手段】
【００１０】
上記目的を達成するために、本発明に係るインバータトランスは、２つの側脚部の間に１つ以上の中央脚部を形成し、これらの脚部の基端側を側方連結部によって連結するとともに前記各々の脚部間にギャップを形成して前記脚部の先端側が開放された一体型のコアと、前記中央脚部の数に対応して設けられ、前記中央脚部を挿入する中央孔を有しかつボビン外周に一次巻線及び二次巻線が巻回されてなるボビン本体とを具備してなることを特徴とするインバータトランス。
【００１１】
本発明の好ましい実施形態によれば、 前記コアの中央脚部は、２つ以上設けられ、それぞれの中央脚部に前記ボビン本体が装着される。
【００１２】
また、本発明に係るボビン本体の各々は、先端部と基端部の両側部あるいは一端部に別のボビン本体に連結するかみ合い係合部を有し、該かみ合い係合部は、前記ボビン本体の一側部の係合凸部と他側部の係合凹部からなり、前記先端部と前記基端部あるいは前記一端部は、前記かみ合い係合部を介して密着状態に係合して複数のボビン本体が一体構造を可能としたことを特徴としている。
【００１３】
さらに、本発明の他の構成によれば、前記ボビン本体の先端部側面の両側に突出する突出部を設け、該突出部を前記コアの側脚部の背面側に突出させ、前記ボビン本体の基端部の前側に位置する前記側方連結部と、前記コアの側脚部の背面側に位置する前記突出部とによって、前記コアに挿入された前記ボビン本体の傾きを規制する手段を構成する。
【００１４】
また、前記ボビン本体とコアを固定するために、少なくとも前記ボビン本体の先端部側面と前記コアの側脚部、及びボビン本体の基端側とコアの側方連結部の各係合部分に接着剤を塗布したことを特徴としている。
さらに、前記ボビン本体の先端部側面と前記コアの側脚部への接着剤の塗布が、前記ボビン本体の先端部側面の突出部と前記コアの側脚部であることを特徴としている。
【発明の効果】
【００１５】
本発明のインバータトランスは、コア部品を側脚部と中央脚部を一体形成する一端開放型コアによる１つのコア部品を用いて、側脚部と中央脚部とのギャップを一定に保持し、リーケージインダクタンスのバラツキを抑えるので、漏洩インダクタンスの値に変動がなくなり、インバータトランスの負荷である冷陰極放電ランプに流れる電流を均一にすることができる。また、組み付け工程の手数と調整を省くので、インバータトランスの製造コストを低減することができる。
【００１６】
また、本発明は、ボビン本体の先端部側面の両側に突出する突出部を設け、この突出部をコアの側脚部の背面側に突出させるとともに、コアの側方連結部を前記ボビン本体の基端部の前側に位置させた構造とすることにより、プリント基板上に取り付けるインバータトランスは、ボビン本体の先端部と基端部がコアによって抑えられるので、コアが一端開放型であっても従来の閉磁路構造の口字形コアと同程度の強度を保つことができる。
【００１７】
また、コアとボビン本体の部品組み付け後に、両部品を強固に固定するために、少なくともボビン本体の突出部とコアの側脚部とに接着剤を塗布するが、この突出部によって接着剤の流れ止めを防止し、かつボビン先端部とコア先端部の固定を確実にすることができる。
【発明を実施するための最良の形態】
【００１８】
本発明の第１と第２の実施形態に係るインバータトランス１を図１ないし図８に基づいて説明する。図１は、本発明のインバータトランスの概略構成図、図２は、ボビン本体が１つの場合における第２の実施形態を示す概略構成図、図３,４は、コアの形状を示す図、図５〜図７は、ボビン本体の形状を説明する図、図８は、ボビン本体とコアとの係合部分を示す図である。
【００１９】
図１及び図２に示すように、本発明のインバータトランス１は、一端開放型のコア２と、一次巻線３と二次巻線４が巻回されたボビン本体５、５とから構成される（図１において、一次巻線及び二次巻線は、図中左側のボビン本体５についてのみ示す。）。
【００２０】
図１は、２つのボビン本体５、５が連結された構造のものであり、図２は、１つのボビン本体５がコア２に組み込まれた構造となっている。それぞれのボビン本体５は同一形状である。
【００２１】
コア２は、磁性体材料を用いて一体成形されたもので、図３に示すように、好ましい形状として、外側に配置された２つの側脚部６,６または６'、６'の間に1本または２本の中央脚部７が設けられている。また、これらの脚部６,７の基端部８は、側方連結部９によって連結され、それぞれの脚部間にギャップ１０が形成される構造である。
そして、磁気回路のギャップを狭めるとともに磁束密度の集中を図るために、側脚部６の先端部１１の内面１１aは、内側に突出して、対向する中央脚部７とのギャップを狭める形状が特に好ましい。
【００２２】
このコア２の外観を示す斜視図が図４に示されている。本発明のコア２は、これらの正面(ａ)及び裏面(ｂ)から見た図から明らかなように、コア基端部８の前面側に側方連結部９が形成され、側脚部６と中央脚部７が一体成形からなる一端開放型である。従って、側方から見た断面形状は、Ｌ型断面構造（図７ｂ参照）となっている。
【００２３】
コア２の側方連結部９の上面９ａは、ボビン本体５の一次側端子台１５（以下、第１端子台という）の上端部に設けた仕切りフランジ２５の座を形成し、また、側方連結部９の内面９ｂは、ボビン本体５の基端部（第１端子台）１５の前面側に当接する面を形成している。
コア２の中央脚部７は、側脚部６に対して前後方向の幅が短く断面矩形状となり、基端部底面８ａからコア２の縦方向に垂直に伸びている。
【００２４】
次に、ボビン本体５の形状について説明する。図５ｂは、ボビン本体５の正面図で、図５a、５ｃは、それぞれ左側面図と右側面図である。
【００２５】
ボビン本体５は、それぞれ同一形状からなり、インバータトランス用に用いられる構造、即ち、角型ボビン形状で、その両端部の下側に一次巻線用の第１端子台１５を、上側に二次巻線用の第２端子台１６を備える。第１、第２端子台１５,１６には、一次巻線及び二次巻線にそれぞれ接続される端子２４、２４’がインサートされ、第１、第２端子台１５,１６の間に位置する筒状外周２０には、一次巻線と複数の二次巻線が巻回される。第２端子台１６の側部は、凹部１６ａを有し、また筒状外周２０は、二次巻線用の複数の仕切壁２２と、各端子台１５,１６との境に仕切りフランジ２５,２６とを有する。
【００２６】
また、ボビン本体５は、中心部に中央孔１８を有しており、この中央孔１８は、図７に示すように、第１端子台１５のコア導入溝１５ａから仕切りフランジ部２５を貫通して第２端子台１６の中間部まで伸びている。図７ｂは、コア２の脚部７が中央孔１８に挿入された状態を示している。
【００２７】
さらに、ボビン本体５は、従来のボビン本体と同様に、第２端子台１６の右左側面の上端に突起３０と溝４０が形成され、また、第１端子台１５の左右側面の上部に別の突起３１と溝４１が設けられている。これらの突起３０,３１と溝４０,４１は、２つのボビン本体５,５を連結するためのはめ合い構造である。
【００２８】
この構造は、例えば、ボビン本体５の先端部と基端部にそれぞれ、はめ合い係合部を備えたもので、図６に示すように、先端部５ａのはめ合い係合部は、ｚ状の相欠け継ぎ構造で、先端部の右側頂部に突起３０を設け、これと反対側の左側頂部に溝４０を設けている。
また、基端部５ｂのはめあい係合部は、腰掛あり継ぎ構造で、基端部の第１端子台の左側面に突起３１を設け、反対側の右側面に溝４１を設けている。
【００２９】
先端部側の突起３０と溝４０のはめ合いは、先ず、図中左側の第１ボビン本体５の突起３０をボビン上下方向に上方からスライドさせて図中右側の第２ボビン本体５の溝４０に挿入にする。基端部側の突起３１と溝４１のはめ合いは、上記突起３０と溝４０を係合させた状態から、左側の第1ボビン本体５の溝４１に右側の第２ボビン本体５の突起３１をボビン前後方向に側面に沿って上方から押し下げて挿入するように嵌合させる。
これにより、第１、第２のボビン本体５,５は、上下左右方向へのずれがなく結合して一体化される。
【００３０】
次に、ボビン本体５の組立方法を説明する。図６に示す２つのボビン本体５、５を結合するタイプでは、最初に第１、第２のボビン本体５にそれぞれ一次巻線３及び複数の二次巻線４が巻回される。次に、ボビン本体５の対向側面に設けた突起３０,３１と溝４０,４１のはめあい構造によって一体に連結される。そして、一体化された第１、第２のボビン本体５,５に巻回された一次巻線同士を直列または並列接続する。一方、二次巻線はそれぞれ端子２４'、２４'に接続され、２つの連結したボビン本体が形成される。
【００３１】
また、図２に示す第２実施形態のように、１つの中央脚部７を有するコア２に１つのボビン本体５を組み付ける構造では、予め一次巻線３と二次巻線４がボビン本体５に巻回される。
【００３２】
そして、ボビン本体５は、一次、二次巻線３,４が巻回された状態で、コア２の中央脚部７に挿入されるが、一端開放型のコアを使用すると、ボビン本体５は、中央脚部７に挿入されるだけで、先端部をコア２により支えることができない。また、コア２も外側の側脚部６及び中央の中央脚部７が側方連結部９によって基端部側で連結された形であるため、片持ち支持となるので、たわみや変形が生じる虞がある。
【００３３】
このため、コア先端部側でボビン本体５に前後左右方向に力が作用すると、中央脚部７および側脚部６のコア基端部に応力が加わり折れることがある。
【００３４】
本発明では、従来と同様に、コア２の脚部にボビン本体５を挿入する動作をスムーズにするとともに、コア側脚部６の先端内側面にボビン本体５の先端側の第２端子台側面とのギャップを僅かにしている。しかし、前後方向に関しては、従来の口字形状の外側コアとは異なり、一端開放型のため、コア先端部側に、ボビン本体５を固定する手段がない。
【００３５】
このため、ボビン本体５に前後方向に応力が作用すると、上述したように、コア中央脚部７の基端部から折れる問題が発生する場合がある。また、片持ち支持によるボビン本体５のふらつきは、インバータトランスのリーケージインダクタンスのばらつきにも影響する。
【００３６】
本発明では、図８に示すように、コア２の側脚部先端とボビン本体５との連結固定をより確実にするために、ボビン本体５の第２端子台１６の側面の凹部１６ａとコア２の側脚部６の内面１１ａ、及びボビン本体５の基端側とコア２の側方連結部９の各係合部分に接着剤６０を塗布している。接着剤６０は、粘度の大きい接着剤を選択することが好ましい。
【００３７】
また、コアの中央脚部７と側脚部６とが一体に構成されるため、部品の組立工程を低減でき、かつ中央脚部７と側脚部６とのギャップ距離が一定に保持され、部品間のばらつきを抑えるので、漏洩インダクタンスの値に変動がなくなり、良好なインバータトランスを構成することができる。このように漏洩インダクタンスの値に変動がなくなることから、インバータトランスの負荷である冷陰極放電ランプに流れる電流が均一となる効果を奏する。
【００３８】
本発明のその他の実施形態に係るインバータトランス１を図９ないし図１４に基づいて説明する。図９は、本発明における第３の実施形態におけるインバータトランスの概略構成図、図１０は、ボビン１つの場合における第３の実施形態を示す概略図、図１１,１２は、ボビン本体の形状を説明する図、図１３,１４は、ボビン本体とコアとの係合部分を詳細に説明する図である。
【００３９】
図９,１０において、図１,２に示したインバータトランス１との相違個所についてのみ、説明し、同じ個所は同じ参照符号を付けてその説明を省略する。
図１,２に示したインバータトランス１との相違個所は、図９に示すように、第２端子台１６の両端面に左右両方向に伸び、かつ水平位置が異なる段違い構造からなる２つの突出部５０,５１を設けた点が相違している。
【００４０】
図１３は、図９におけるＡ部を示しており、突出部５０とコア２との組み付け部分の詳細図が示されている。図１３ａは正面図、図１３ｂは側面からみた右側面図である。
【００４１】
突出部５０は、第２端子台１６の側面から横方向に張り出し、縦横寸法が約１．５ｍｍの断面角形状である。また、図１３から明らかなように、突出部５０は、第２端子台１６の後方側面に位置し、コア２の背面側に伸びて、コア２の内端面から横方向に約１．５ｍｍ程度突出している。
【００４２】
また、図１２から明らかなように、第２端子台１６の左側面には、右側面側に伸びた突出部５０と同一形状の突出部５１が横方向に伸びている。この突出部５１は、突出部５０に対して互いに組み違う高さ位置に設けられている。
【００４３】
従って、左右の突出部５０,５１は、２つのボビン本体５が連結される形式では、中央部において、互いに上下位置関係で組み合い、コアの側脚部との係合位置において、コア先端部６ａの背面の下側と上側にそれぞれ突出している（図９、図１２参照）。
【００４４】
図１３aの平面図において、ボビン本体５とコア２は、それぞれの側面が対面し、ボビン本体の横方向のガタを規制し、さらに、突出部５０,５１がコアの側脚部６の背面側で抑えられる形となっている。また、図１３ｂの側面図において、突出部５０は、コアの背面側に突出し、コア２の背面と突出部５０の前面との距離を約０．２ｍｍ程度に抑えてボビンの前方方向への傾きが規制される。この突出部５０は、その先端部分の角部をＲ形状にすることもできる。
【００４５】
ボビン本体５をコア２の脚部７に装着してもコア２は一端開放型のため、ボビン本体５の傾きを規制する手段が設けられている。
【００４６】
この規制手段は、ボビン本体５の第２端子台１６の両側面から左右両方向に伸び、かつ水平位置が異なる段違い構造からなり、コア２の側脚部６の背面側に位置する２つの突出部５０,５１と、ボビン本体５の基端部の前側に位置するコア２の側方連結部９とから構成される。
【００４７】
これにより、ボビン本体５は、基端部側の仕切りフランジ部２５がコア２の側方連結部９の上面９ａに載置され、ボビン本体５の第１端子台１５の前面が前記コア２の側方連結部９の内面９ｂに当接し、かつボビン先端部側の突出部５０,５１がコア側脚部６の背面側に位置することになる。
【００４８】
この結果、ボビン本体５の前後方向の傾きは、ボビン本体５の基端部前面をコア２の側方連結部９の内面で抑え、また、ボビン本体５の先端部の突出部５０,５１をコア側脚部６の先端部背面で抑えることができる。従って、本発明のように、一端開放型コアであっても、インバータトランスがプリント基板に取り付けられる状態では、閉磁路構造の口字形状のコアと同様に、コア２の側方連結部と先端部がボビン本体５の基端部と突出部の両方を抑えることができるので、ボビン本体５の傾きにより中央脚部６を折るという問題を解消することができる。
【００４９】
さらに、ボビン本体５をより確実に固定するために、図１４に示すように、コア２の側脚部先端とボビン本体５との間を接着剤６０にて固定する。具体的には、ボビン本体５の突出部５０,５１とコア２の側脚部６の内面１１ａ、及びボビン本体５の基端側とコア２の側方連結部９の各係合部分に接着剤６０を塗布している。また、ボビン本体同士も２つの突出部５０,５１が組み合う位置に接着剤６０を塗布する。この場合、突出部５０,５１は、接着剤６０の流れ止めとなり、強固な接着が可能になる。
【００５０】
なお、本実施形態では、一端開放型コア形状として中央脚部が１つあるいは２つについて説明したが、これに限定されるものではなく、中央脚部が３つあるいは４つ以上あっても本実施形態同様に適用できる。
【００５１】
また、本実施形態では、中央脚部が２つ以上設けたコアに装着するボビン本体は同一形状にて説明したが、これに限定されるものではなく、略等しいボビン形状、あるいは異なったボビン形状を用いてもよいことは勿論である。
【図面の簡単な説明】
【００５２】
【図１】本発明の第１実施形態に係るインバータトランスの組み付け構造を示す概略構成図である。
【図２】本発明の第２実施形態であるボビン本体が１つの場合の概略構成図である。
【図３】本発明のインバータトランスに用いるコア形状を示す図である。
【図４】本発明のコア形状の正面(a)と裏面(b)を示す斜視図である。
【図５】本発明に用いるボビン本体の構成を示し、(a)は左側面、(b)は正面、(c)は、右側面から見た各図である。
【図６】図５のボビン本体を連結した形状を示す概略構成図である。
【図７】図７aは、図５のボビン本体の断面形状を示す図であり、図７ｂは、ボビン本体にコアを挿入した状態を示す断面図である。
【図８】図８ａは、ボビン本体とコアとを固定するための接着剤の塗布領域を示す図であり、図８ｂは、ボビン本体とコア先端部との接着剤による結合を示す詳細図である。
【図９】本発明の第３実施形態に係るインバータトランスの組み付け構造を示す概略構成図である。
【図１０】本発明の第３実施形態に関し、突出部を有するボビン本体が１つ場合における図２と同様の概略構成図である。
【図１１】図１０におけるボビン本体の構成を示し、(a)は左側面、(b)は正面、(c)は、右側面から見た各図である。
【図１２】本発明に係る突出部を有するボビン本体を連結した形状を示す図６と同様の概略構成図である。
【図１３】図１３ａは、図９のＡ部詳細図を示し、図１３ｂは、この部分を側方か見たボビン本体とコアの係合部分を示す図である。
【図１４】本発明に係る突出部を有するボビン本体を用いた場合の図８と同様な図であり、図１４ａは、ボビン本体とコアとを固定するための接着剤の塗布領域を示す図であり、図１４ｂは、ボビン本体の突出部とコア先端部との接着剤による結合を示す詳細図である。
【符号の説明】
【００５３】
１  インバータトランス
２  コア
３  一次巻線
４  二次巻線
５  ボビン本体
６  側脚部
７  中央脚部
９  側方連結部
１０  ギャップ
１５  第１端子台
１６  第２端子台
２４  端子（パターン接続用）
２４’  端子（コイルのリード線からげ用）
３０,３１  突起
４０,４１  溝
５０,５１  突出部
６０  接着剤
【図１】
2006156928.tif 000003
【図２】
2006156928.tif 000004
【図３】
2006156928.tif 000005
【図４】
2006156928.tif 000006
【図５】
2006156928.tif 000007
【図６】
2006156928.tif 000008
【図７】
2006156928.tif 000009
【図８】
2006156928.tif 000010
【図９】
2006156928.tif 000011
【図１０】
2006156928.tif 000012
【図１１】
2006156928.tif 000013
【図１２】
2006156928.tif 000014
【図１３】
2006156928.tif 000015
【図１４】
2006156928.tif 000016